(57)【要約】【課題】無線ＬＡＮでの通信を行う際に、通信を行う相手機器の選択と認証を、無線ＬＡＮとは別の近接無線通信手段を用いて行うことにより、簡単に行える様にする。【解決手段】第１の無線通信手段（無線ＬＡＮ）と、第１の通信手段に比べ伝送距離が短い第２の無線通信手段（近接無線通信手段）と、制御部とを備え、第１の通信手段での通信を行う際に、第１の通信手段で接続させる機器同士を、第２の無線通信手段で通信が可能な距離まで接近させる。第１の無線通信手段で通信を行うために必要なＭＡＣアドレス及び／又はＩＤ、及び／又は暗号化情報の送受信を、第２の無線通信手段を介して行う。【選択図】図１
2008098893.tif 000002
【特許請求の範囲】
【請求項１】
無線通信によってデータの送受信を行う無線通信モジュールであって、
第１の無線通信手段と、
前記第１の無線通信手段による通信を行うために必要な設定情報を無線通信で授受する第２の無線通信手段と、
前記第２の無線通信手段を介して受信した設定情報を、前記第１の無線通信手段に設定する制御部と、を有することを特徴とする無線通信モジュール。
【請求項２】
前記第１の無線通信手段と、前記第２の無線通信手段とは、互いに異なる通信方式による無線通信を行うことを特徴とする請求項１記載の無線通信モジュール。
【請求項３】
前記第１の無線通信手段は、前記第２の無線通信手段に比べて、伝送距離が長いことを特徴とする請求項１又は２記載の無線通信モジュール。
【請求項４】
前記第２の無線通信手段は、前記第１の無線通信手段による通信を行うために必要な設定情報として、ＭＡＣアドレス、ＩＤ、及び無線通信路の暗号化に係る情報のうちの少なくとも１つの情報を送受信することを特徴とする請求項１〜３のいずれかに記載の無線通信モジュール。
【請求項５】
前記制御部は、前記題２の無線通信手段を介して受信した前記第１の無線通信手段による通信を行うために必要な設定情報を受け取って、
前記第１の無線通信手段に設定することを特徴とする請求項１〜４のいずれかに記載の無線通信モジュール。
【請求項６】
無線通信によってデータの送受信を行う無線通信システムであって、
請求項１〜５のいずれかに記載の無線通信モジュールと、
前記第２の無線通信手段に電源を供給するための指令を与える電源供給指令出力手段と、を有することを特徴とする無線通信システム。
【請求項７】
無線通信によってデータの送受信を行う無線通信システムであって、
請求項１〜５のいずれかに記載の無線通信モジュールと、
前記第２の無線通信手段に対し通信開始指令を与える通信開始指令出力手段と、を有することを特徴とする無線通信システム。
【請求項８】
無線通信によってデータの送受信を行う無線通信システムであって、
請求項１〜５のいずれかに記載の無線通信モジュールと、
前記第２の無線通信手段によって通信接続先との正常な通信が開始されると点灯し、
前記第２の無線通信手段によって前記第１の無線通信手段による通信を行うために必要な設定情報の授受が完了すると消灯する表示手段と、を有することを特徴とする無線通信システム。
【請求項９】
前記第２の無線通信手段は、前記電源供給指令出力手段による指令に基づき電源の供給が開始されると、無線通信を開始し、通信接続可能な無線通信モジュール又は無線通信システムの検索を行うことを特徴とする請求項６記載の無線通信システム。
【請求項１０】
前記第２の無線通信手段は、前記通信開始指令出力手段からの通信開始指令を受けると、
通信接続先の無線通信システムに対して、前記第１の無線通信手段による通信を行うために必要な設定情報を無線で送出するとともに、
前記通信接続先の無線通信システムから前記設定情報を送信するよう要求するリクエスト信号を送出することを特徴とする請求項７記載の無線通信システム。
【発明の詳細な説明】
【技術分野】
【０００１】
本発明は、無線通信モジュール、及び無線通信システムにおいて、無線通信接続相手の選択と、無線通信を行うために必要な情報の通知を行う技術に関する。
【背景技術】
【０００２】
近年、フラッシュメモリー等の大容量の不揮発性メモリーを備え、高速データ転送が可能な小型のメモリーカードが市場に普及し、ＰＣ（Personal Computer）、ＰＤＡ（Personal Digital Assistants）や携帯電話のみならず、デジタルムービー、デジタルスチルカメラ、オーディオプレーヤ、デジタルテレビ、カーナビゲーションシステム等のＡＶ機器に、メモリーカードを挿入するためのメモリーカードスロットが搭載され利用されている。
【０００３】
また、メモリー機能に加えて、例えば、無線ＬＡＮ機能、Bluetooth（登録商標）規格に基づく無線通信等のネットワーク接続機能、ＧＰＳ（Global Positioning System）を用いた位置計測機能、地上デジタルテレビジョン放送のワンセグ放送受信機能等の入出力機能を搭載したカード型入出力装置であるＩ／Ｏカードが登場し、メモリーカードを挿入するためのメモリーカードスロットに、Ｉ／Ｏカードを挿入することによって、無線ＬＡＮやBluetooth等の機能をＰＣやＰＤＡで利用できるようになった。（特許文献１）
【０００４】
今後はＩ／Ｏ機能、中でも無線ＬＡＮに代表される無線通信機能と、大容量の不揮発性メモリーとが同一筐体に入ったカードの普及が予測され、メモリーカードスロットを備えたＰＤＡやＡＶ機器で、無線通信機能の利用がさらに進むと考えられる。
【特許文献１】特開２００４−２１５２３２号公報
【発明の開示】
【発明が解決しようとする課題】
【０００５】
しかしながら、無線通信機能を利用する際、無線通信接続を行う相手機器の選択・決定や、無線通信を行うのに必要な設定、例えばアクセスポイントと無線ＬＡＮクライアントの両方に同じ識別情報（例えば文字列など）を登録することにより特定の機器のみ接続を許可する機能に利用するＥＳＳ−ＩＤ（Extended Service Set IDentifier）という識別子の設定、また、無線通信路のセキュリティを確保するためのＭＡＣ（Media Access Control）アドレスのフィルタリング設定や、同様に無線通信路のセキュリティを確保するための暗号化に係るＷＥＰ（Wired Equivalent Privacy）の設定は、文字入力のためのキーボード及び表示領域の大きなディスプレイを備えたＰＣ（Personal Computer）やＰＤＡであっても使用者にとって大変煩雑で極めて不便であった。
【０００６】
一方、デジタルムービー、デジタルスチルカメラ、オーディオプレーヤ、デジタルテレビ、カーナビゲーションシステム等のＡＶ機器は文字入力のためのキーボードを備えていないか、もしくは、テンキーなどの簡易なキー入力装置しか備えていない。中でもデジタルムービー、デジタルスチルカメラ、オーディオプレーヤ等に代表されるポータブルＡＶ機器のディスプレイは小型であるため、通信接続を行う相手機器の選択や、これに係わる設定、また、無線通信路のセキュリティを確保するためのＭＡＣ（Media Access Control）アドレスのフィルタリング設定や、ＷＥＰ（Wired Equivalent Privacy）の設定を行うのはさらに不便であり、現実的ではなかった。
【０００７】
また、無線ＬＡＮでの通信が可能な距離範囲内（概ね半径５０ｍ〜１００ｍ）に多数の無線機能搭載機器（無線ＬＡＮクライアント）や、これらの無線機能搭載機器（無線ＬＡＮクライアント）間を接続する多数の電波中継機（アクセスポイント）が存在する場合に、ある特定の機器又は電波中継器（アクセスポイント）と接続しようとすると、接続可能な全ての機器リストの中から、接続する機器を選択する必要がある。そのため小型のディスプレイしか装備しないポータブルＡＶ機器では一覧出来ず、使用者にとって大変わかりづらいものとなっていた。
【０００８】
また、接続可能な機器リストには機器のＩＤ等が表示され、実際の機器との関係、即ち、どのＩＤがどの機器に対応しているのかを、使用者が簡単に知ることが出来ないという課題があった。
【０００９】
本発明の目的は以上の問題点を解決し、キーボードや大型のディスプレイを備えない機器においても、無線通信を行うために必要な各種設定と通信接続機器の選択を簡単に行える無線通信モジュール及び無線通信システムを提供することにある。
【課題を解決するための手段】
【００１０】
前記目的を達成するため、本発明においては以下の技術的手段を講じた。すなわち、本発明における技術的手段は、無線通信によってデータの送受信を行う無線通信モジュールであって、第１の無線通信手段と、前記第１の無線通信手段による通信を行うために必要な設定情報を無線通信で授受する第２の無線通信手段と、前記第２の無線通信手段を介して受信した設定情報を、前記第１の無線通信手段に設定する制御部と、を有することを特徴とする。
【００１１】
なお、前記第１の無線通信手段と、前記第２の無線通信手段とは、互いに異なる通信方式による無線通信を行うことが好ましい。
【００１２】
また、前記第１の無線通信手段は、前記第２の無線通信手段に比べて、伝送距離が長いことが好ましい。
【００１３】
また、前記第２の無線通信手段は、前記第１の無線通信手段による通信を行うために必要な設定情報として、ＭＡＣアドレス、ＩＤ、及び無線通信路の暗号化に係る情報のうちの少なくとも１つの情報を送受信することが好ましい。
【００１４】
さらに好ましくは、前記制御部が、前記題２の無線通信手段を介して受信した前記第１の無線通信手段による通信を行うために必要な設定情報を受け取って、前記第１の無線通信手段に設定すると良い。
【００１５】
また、本発明における技術的手段は、無線通信によってデータの送受信を行う無線通信システムであって、第１の無線通信手段と、前記第１の無線通信手段による通信を行うために必要な設定情報を無線通信で授受する第２の無線通信手段と、前記第２の無線通信手段を介して受信した設定情報を、前記第１の無線通信手段に設定する制御部と、前記第２の無線通信手段に電源を供給するための指令を与える電源供給指令出力手段と、を有することを特徴とする。
【００１６】
また、本発明における技術的手段は、無線通信によってデータの送受信を行う無線通信システムであって、第１の無線通信手段と、前記第１の無線通信手段による通信を行うために必要な設定情報を無線通信で授受する第２の無線通信手段と、前記第２の無線通信手段を介して受信した設定情報を、前記第１の無線通信手段に設定する制御部と、前記第２の無線通信手段に対し通信開始指令を与える通信開始指令出力手段と、を有することを特徴とする。
【００１７】
また、本発明における技術的手段は、無線通信によってデータの送受信を行う無線通信システムであって、第１の無線通信手段と、前記第１の無線通信手段による通信を行うために必要な設定情報を無線通信で授受する第２の無線通信手段と、前記第２の無線通信手段を介して受信した設定情報を、前記第１の無線通信手段に設定する制御部と、前記第２の無線通信手段によって通信接続先との正常な通信が開始されると点灯し、前記第２の無線通信手段によって前記第１の無線通信手段による通信を行うために必要な設定情報の授受が完了すると消灯する表示手段と、を有することを特徴とする。
【００１８】
なお、前記第２の無線通信手段は、前記電源供給指令出力手段による指令に基づき電源の供給が開始されると、無線通信を開始し、通信接続可能な無線通信モジュール又は無線通信システムの検索を行うことが好ましい。
【００１９】
さらに好ましくは、前記第２の無線通信手段が、前記通信開始指令出力手段からの通信開始指令を受けると、通信接続先の無線通信システムに対して、前記第１の無線通信手段による通信を行うために必要な設定情報を無線で送出するとともに、前記通信接続先の無線通信システムから前記設定情報を送信するよう要求するリクエスト信号を送出すると良い。
【発明の効果】
【００２０】
本発明に係わる無線通信モジュール、及び無線通信システムによれば、無線通信機能を利用する際の、無線通信接続を行う相手機器の選択・決定や、無線通信を行うのに必要な設定、例えばアクセスポイントと無線ＬＡＮクライアントの両方に同じ識別情報（例えば文字列など）を登録することにより特定の機器のみ接続を許可する機能に利用するＥＳＳ−ＩＤ（Extended Service Set IDentifier）という識別子の設定、また、無線通信路のセキュリティを確保するためのＭＡＣ（Media Access Control）アドレスのフィルタリング設定や、同様に無線通信路のセキュリティを確保するための暗号化に係るＷＥＰ（Wired Equivalent Privacy）の設定を、確実かつ簡単に行うことができる。
【発明を実施するための最良の形態】
【００２１】
以下、本発明に係る実施の形態について図面を参照して説明する。図１は、本発明の実施の形態に係る無線通信システム１３０、１７０、及び無線通信モジュール１１０、１５０の構成を示すブロック図である。図１において、１１１は無線通信モジュール１１０及び／又は無線通信システム１３０の制御を行う制御部、１１２は無線ＬＡＮに比べて通信可能な距離が短い近接無線通信手段、１１３は無線ＬＡＮ通信手段、１２０は無線通信機能と不揮発性メモリーとを同一筐体に内蔵した無線機能搭載メモリーカード、１２１は不揮発性メモリー、１２２は表示手段（インジケータ）、１３０は無線通信システム、１３１は電源供給指令出力手段、１３２は通信開始指令出力手段、１３３は無線ＬＡＮアダプタである。次に１５１は無線通信モジュール１５０及び／又は無線通信システム１７０の制御を行う制御部、１５２は無線ＬＡＮに比べて通信可能な距離が短い近接無線通信手段、１５３は無線ＬＡＮ通信手段、１６０は無線通信機能と不揮発性メモリーとを同一筐体に内蔵した無線機能搭載メモリーカード、１６１は不揮発性メモリー、１６２は表示手段（インジケータ）、１７０は無線通信システム、１７１は電源供給指令出力手段、１７２は通信開始指令出力手段、１７３は無線ＬＡＮアダプタである。
【００２２】
ここで無線ＬＡＮアダプタ１３３は、第１の無線通信手段（無線ＬＡＮ通信手段）１１３と、電源供給指令出力手段１３１と、通信開始指令出力手段１３２と、無線機能搭載メモリーカード１２０を挿入可能なメモリーカードスロットとを備えた装置（カードアダプタ）のことであり、挿入された無線機能搭載メモリーカード１２０と組み合わせて無線通信システム１３０を構成するものである。
【００２３】
また、無線機能搭載メモリーカード１２０は、図１に示す様に、第２の無線通信手段（近接無線通信手段）１１２、制御部１１１、不揮発性メモリー１２１で構成される。
【００２４】
同様に、無線ＬＡＮアダプタ１７３は、第１の無線通信手段（無線ＬＡＮ通信手段）１５３と、電源供給指令出力手段１７１と、通信開始指令出力手段１７２と、無線機能搭載メモリーカード１６０を挿入可能なメモリーカードスロットとを備えた装置（カードアダプタ）のことであり、挿入された無線機能搭載メモリーカード１６０と組み合わせて無線通信システム１７０を構成するものである。
【００２５】
また、無線機能搭載メモリーカード１６０は、図１に示す様に、第２の無線通信手段（近接無線通信手段）１５２、制御部１５１、不揮発性メモリー１６１で構成される。
【００２６】
前記の様に構成した無線通信システムは、第１の無線通信手段（無線ＬＡＮ通信手段）１１３、１５３を用いて、広範な機器と通信を行うことが可能で、例えば、無線ＬＡＮ経由でインターネットに接続し、データのやり取りを行うことが出来る。
【００２７】
一方、第２の無線通信手段（近接無線通信手段）１１２、１５２を用いることにより、近くにある（例えば半径５ｃｍ以内の）機器同士で高速にデータの交換を行うことが出来る。例えば、第２の無線通信手段（近接無線通信手段）１１２、１５２を搭載したデジタルスチルカメラ（以下、ＤＳＣという）同士を近づけることにより、ＤＳＣで撮影した写真データの交換を行うことが出来る。
【００２８】
図２は、本発明の実施形態に係る無線通信システム１３０、１７０の第２の無線通信手段１１２、１５２が、第１の無線通信手段１１３、１５３による通信を行うために必要な設定情報を無線通信で授受する時のシーケンス図である。
【００２９】
図３は、第１の無線通信手段（無線ＬＡＮ通信手段）１１３の通信可能範囲と第２の無線通信手段（近接無線通信手段）１１２の通信可能範囲の関係を示す図である。図３において、３００は第２の無線通信手段（近接無線通信手段）１１２の通信可能範囲、３０１は第１の無線通信手段（無線ＬＡＮ通信手段）１１３の通信可能範囲、３１０は無線通信システム（無線機能搭載メモリーカードと無線ＬＡＮアダプタ）、３１１はＤＳＣ、３２０はＰＤＡ（Personal Digital Assistants）、３２１は携帯電話、３２２はノートＰＣ、３２３はノートＰＣ、３２４はＰＤＡ（Personal Digital Assistants）、３２５はノートＰＣ、３２６は無線ＬＡＮ電波中継機（アクセスポイント）、３２７は携帯電話、３３０はノートＰＣ、３３１はＤＳＣ、３３２はデスクトップＰＣ、３３３はスマートフォン、３３４は携帯電話、３３５はスマートフォン、３３６はデジタルムービー、３３７はスマートフォンである。
【００３０】
以下、本発明の無線通信システムの動作の一例について図面を参照しながら説明する。図３において、無線通信システム（無線機能搭載メモリーカードと無線ＬＡＮアダプタ）３１０が、図１に示す無線通信システム１３０、また、ＤＳＣ３１１が、図１に示す無線通信システム１７０に相当するとして説明する。
【００３１】
ＤＳＣ３１１は、少なくとも図１に示す無線通信モジュール１５０を備えている。無線通信モジュール１５０は、図１に示す様に、第１の無線通信手段（無線ＬＡＮ通信手段）１５３と、第２の無線通信手段（近接無線通信手段）１５２と、制御部１５１とで構成される。
【００３２】
また、機器３２０〜３２７、及び機器３３０〜３３７に関しても、図１に示す無線通信モジュール１５０を備えており、無線通信モジュール１５０は、図１に示す様に、第１の無線通信手段（無線ＬＡＮ通信手段）１５３と、第２の無線通信手段（近接無線通信手段）１５２と、制御部１５１とで構成される。
【００３３】
図３において、３０１は第１の無線通信手段（無線ＬＡＮ通信手段）の通信可能範囲を示しており、例えばこの範囲は半径約１００ｍとする。すなわち、無線通信システム（無線機能搭載メモリーカード１２０と無線ＬＡＮアダプタ１３３）３１０が第１の無線通信手段（無線ＬＡＮ通信手段）１１３によって無線通信を行おうとした時、ＤＳＣ３１１、ＰＤＡ（Personal Digital Assistants）３２０、携帯電話３２１、ノートＰＣ３２２、ノートＰＣ３２３、ＰＤＡ（Personal Digital Assistants）３２４、ノートＰＣ３２５、無線ＬＡＮ電波中継機（アクセスポイント）３２６、携帯電話３２７、ノートＰＣ３３０、ＤＳＣ３３１、デスクトップＰＣ３３２、スマートフォン３３３、携帯電話３３４、スマートフォン３３５、デジタルムービー３３６、スマートフォン３３７の合計１７台との無線通信接続が可能となる。
【００３４】
また、図３において、３００は第２の無線通信手段（近接無線通信手段）１１２の通信可能範囲を示しており、例えばこの範囲を半径約５ｃｍとする。すなわち、無線通信システム（無線機能搭載メモリーカード１２０と無線ＬＡＮアダプタ１３３）３１０が第２の無線通信手段（近接無線通信手段）１１２によって無線通信を行おうとした時、ＤＳＣ３１１と、機器３２０〜３２７と、機器３３０〜３３７との合計１７台の機器のうち、ＤＳＣ３１１の１台のみと無線通信接続が可能である。
【００３５】
無線通信システム（無線機能搭載メモリーカード１２０と無線ＬＡＮアダプタ１３３）３１０と、ＤＳＣ３１１との間で第１の無線通信手段（無線ＬＡＮ通信手段）１１３、１５３による無線通信を行う際、第１の無線通信手段１１３、１５３を用いて通信可能な機器の探索を行うと一般に多数の機器が検出され、使用者は検出された機器の中から、無線通信接続を行いたい機器を選択・決定する必要がある。例えば、図３の例では、１７台の機器が検出されるので、この中から使用者が無線通信接続を行う機器を選択・決定する。
【００３６】
しかしながら、デジタルムービー、デジタルスチルカメラ、オーディオプレーヤ等に代表されるポータブルＡＶ機器のディスプレイは小型であるため、無線通信接続可能な機器が多数検出された場合に、一度に表示することが出来ず、使用者が表示画面をスクロールさせる（表示内容を上下左右に移動させる）必要があり、操作が煩わしく、かつ、わかりづらく接続機器を選び難いものとなっていた。
【００３７】
加えて、検出された機器は、通常機器固有のＩＤ、例えば機器のシリアルナンバー、あるいはＭＡＣ（Media Access Control）アドレス等で識別され、無線接続可能な機器として機器固有のＩＤが表示されるため、使用者は、どのＩＤとどの機器とが対応関係にあるのかを調べて判断する必要があり、無線通信接続を行う機器の選択・決定がさらに不便でわかりづらいものとなっていた。
【００３８】
そこで本発明の実施の形態に係る無線通信システムでは、第１の無線通信手段（無線ＬＡＮ通信手段）１１３、１５３による無線通信を行う際、第２の無線通信手段（近接無線通信手段）１１２、１５２を用いて、第１の無線通信手段（無線ＬＡＮ通信手段）１１３、１５３による無線通信を行う接続相手機器を選択・決定する様にした。
【００３９】
この手順を図２のシーケンス図を用いて説明する。図３の無線通信システム（無線機能搭載メモリーカード１２０と無線ＬＡＮアダプタ１３３）３１０と、ＤＳＣ３１１との間で第１の無線通信手段（無線ＬＡＮ通信手段）１１３、１５３による無線通信を行う際、無線通信システム３１０とＤＳＣ３１１を第２の無線通信手段（近接無線通信手段）１１２、１５２の通信可能範囲内にまで接近させ、第２の無線通信手段（近接無線通信手段）１１２、１５２の電源を入れる。もしくは、第２の無線通信手段（近接無線通信手段）１１２、１５２の電源を入れた後、無線通信システム３１０とＤＳＣ３１１を第２の無線通信手段（近接無線通信手段）１１２、１５２の通信可能範囲内にまで接近させる。
【００４０】
図２において２２０〜２２７は無線通信システム（無線機能搭載メモリーカード１２０と無線ＬＡＮアダプタ１３３）３１０が動作を示すステップであり、２２１は第２の無線通信手段（近接無線通信手段）１１２の電源をＯＮにする処理ステップである。また２４０〜２４７はＤＳＣ３１１の動作を示すステップであり、２４１は第２の無線通信手段（近接無線通信手段）１５２の電源をＯＮにする処理ステップである。
【００４１】
ここで、無線通信システム３１０側は、例えば使用者がボタン（電源供給指令出力手段１３１）を押すことによって電源供給指令が発行され、制御部１１１は、ボタン（電源供給指令出力手段１３１）の押下によって出力された電源供給指令を受けて、第２の無線通信手段（近接無線通信手段）１１２に電源を供給する様指示する。
【００４２】
また、ＤＳＣ３１１側も同様に、例えば使用者がボタン（電源供給指令出力手段１７１）を押すことによって電源供給指令が発行され、制御部１５１は、ボタン（電源供給指令出力手段１７１）の押下によって出力された電源供給指令を受けて、第２の無線通信手段（近接無線通信手段）１５２に電源を供給する様指示する。
【００４３】
なお、本実施の形態では、一例として第２の無線通信手段（近接無線通信手段）１１２、１５２への電源供給を、ボタン（電源供給指令出力手段１３１、１７１）の押下に基づいて開始する様にしているが、本発明はこれに限らず、無線通信モジュール１１０、１５０同士が無線通信可能な距離範囲に接近したことを検知して、検知結果に基づき電源供給を開始する様にしても良い。
【００４４】
あるいは、別途光通信手段（例えばＩｒＤＡ等）を備え、無線通信モジュール１１０、１５０同士が無線通信可能な距離範囲に接近したことを光通信手段によって検知し、検知結果に基づき第２の無線通信手段（近接無線通信手段）１１２、１５２への電源供給を開始する様にしても良い。
【００４５】
図２の２２２、及び２４２は認証中インジケータ１２２、１６２を点灯させる処理ステップである。第２の無線通信手段（近接無線通信手段）１１２と１５２の電源がＯＮになっている状態で、機器同士を５ｃｍ以内にまで使用者が接近させ、第２の無線通信手段（近接無線通信手段）１１２、１５２による無線通信が可能な状態となると、無線通信システム（無線機能搭載メモリーカード１２０と無線ＬＡＮアダプタ１３３）３１０側の第２の無線通信手段（近接無線通信手段）１１２が、制御部１１１に対して通信可能な状態になったことを通知し、これを受けて制御部１１１が認証中インジケータ１２２の点灯指示を出力し、認証中インジケータ１２２はこれを受けて点灯を開始する。
【００４６】
同様に、第２の無線通信手段（近接無線通信手段）１１２、１５２による無線通信が可能な状態となると、ＤＳＣ３１１側では、第２の無線通信手段（近接無線通信手段）１５２が、制御部１５１に対して通信可能な状態になったことを通知し、これを受けて制御部１５１が認証中インジケータ１６２の点灯指示を出力し、認証中インジケータ１６２はこれを受けて点灯を開始する。
【００４７】
これにより、無線通信接続を行う機器間での無線通信が正常に確立したことを使用者が容易かつ明確に知ることが出来る。
【００４８】
なお、本実施の形態では、一例として第２の無線通信手段（近接無線通信手段）１１２、１５２の通信可能範囲を５ｃｍとしているが、本発明はこれに限らず、第１の無線通信手段（無線ＬＡＮ通信手段）１１３、１５３の通信可能範囲より狭ければ良い。
【００４９】
図２の２２３は通信開始指令を発行するステップであり、例えば使用者がボタン（通信開始指令出力手段１３２）を押すことによって通信開始指令が発行される。
【００５０】
制御部１１１は、ボタン（通信開始指令出力手段１３２）の押下によって出力された通信開始指令を受けて、第２の無線通信手段（近接無線通信手段）１１２に通信開始を指示する。
【００５１】
図２の２６１は、無線通信システム（無線機能搭載メモリーカード１２０と無線ＬＡＮアダプタ１３３）３１０の第２の無線通信手段（近接無線通信手段）１１２が、無線通信の相手機器となるＤＳＣ３１１の第２の無線通信手段（近接無線通信手段）１５２に対して、自ＩＤ及び／又はＭＡＣ（Media Access Control）アドレス及び／又は暗号鍵の送信と、無線通信のリクエストを送信するシーケンスである。
【００５２】
図２の２４３は、ＤＳＣ３１１の第２の無線通信手段（近接無線通信手段）１５２が受信した相手機器（無線通信システム３１０）のＩＤ及び／又はＭＡＣ（Media Access Control）アドレス及び／又は暗号鍵を制御部１５１が受け取って、第１の無線通信手段（無線ＬＡＮ通信手段）１５３に設定、登録を行う処理ステップである。
【００５３】
なお、第２の無線通信手段（近接無線通信手段）１５２を介して受信した相手機器（無線通信システム３１０）のＩＤ及び／又はＭＡＣ（Media Access Control）アドレス及び／又は暗号鍵を、制御部１５１の指令に基づいて不揮発性メモリー１６１に格納しても良い。
【００５４】
これにより、以降、当該機器（無線通信システム３１０、ＤＳＣ３１１）同士が第１の無線通信手段（無線ＬＡＮ通信手段）１１３、１５３による無線通信を行う場合には、前記不揮発性メモリー１６１に格納された情報に基づいて第１の無線通信手段（無線ＬＡＮ通信手段）１５３の設定を行うことにより、図２に示した処理を行うことなく、直ちに第１の無線通信手段（無線ＬＡＮ通信手段）１１３、１５３による無線通信を行うことが可能となる。
【００５５】
また、第２の無線通信手段（近接無線通信手段）１５２を介して受信した相手機器（無線通信システム３１０）のＩＤ及び／又はＭＡＣ（Media Access Control）アドレス及び／又は暗号鍵を、制御部１５１の指令に基づいて不揮発性メモリー１６１に格納する際、セキュリティ確保の観点から、ＩＤ及び／又はＭＡＣ（Media Access Control）アドレス及び／又は暗号鍵を暗号化を施した上で不揮発性メモリー１６１に格納しても良い。
【００５６】
図２の２４４は、ＤＳＣ３１１側のＩＤ及び／又はＭＡＣ（Media Access Control）アドレスと、相手機器（無線通信システム３１０）のＩＤ及び／又はＭＡＣ（Media Access Control）アドレス及び／又は暗号鍵の登録が完了したことを示すアクノリッジとを、第２の無線通信手段（近接無線通信手段）１５２を介して送信する処理ステップである。
【００５７】
図２の２６２は、ＤＳＣ３１１の第２の無線通信手段（近接無線通信手段）１５２から、無線通信システム（無線機能搭載メモリーカードと無線ＬＡＮアダプタ）３１０の第２の無線通信手段（近接無線通信手段）１１２に対して、ＤＳＣ３１１側のＩＤ及び／又はＭＡＣ（Media Access Control）アドレスと、相手機器（無線通信システム３１０）のＩＤ及び／又はＭＡＣ（Media Access Control）アドレス及び／又は暗号鍵の登録が完了したことを示すアクノリッジとを送信するシーケンスである。
【００５８】
図２の２２４は、無線通信システム（無線機能搭載メモリーカード１２０と無線ＬＡＮアダプタ１３３）３１０の第２の無線通信手段（近接無線通信手段）１１２が受信したＤＳＣ３１１側のＩＤ及び／又はＭＡＣ（Media Access Control）アドレスを、制御部１１１が受け取って、第１の無線通信手段（無線ＬＡＮ通信手段）１１３に設定、登録を行う処理ステップである。
【００５９】
なお、第２の無線通信手段（近接無線通信手段）１１２を介して受信した相手機器（ＤＳＣ３１１）のＩＤ及び／又はＭＡＣ（Media Access Control）アドレス及び／又は暗号鍵を、制御部１１１の指令に基づいて不揮発性メモリー１２１に格納しても良い。
【００６０】
これにより、以降、当該機器（無線通信システム３１０、ＤＳＣ３１１）同士が第１の無線通信手段（無線ＬＡＮ通信手段）１１３、１５３による無線通信を行う場合には、前記不揮発性メモリー１２１に格納された情報に基づいて第１の無線通信手段（無線ＬＡＮ通信手段）１１３の設定を行うことにより、図２に示した処理を行うことなく、直ちに第１の無線通信手段（無線ＬＡＮ通信手段）１１３、１５３による無線通信を行うことが可能となる。
【００６１】
また、第２の無線通信手段（近接無線通信手段）１１２を介して受信した相手機器（ＤＳＣ３１１）のＩＤ及び／又はＭＡＣ（Media Access Control）アドレス及び／又は暗号鍵を、制御部１１１の指令に基づいて不揮発性メモリー１２１に格納する際、セキュリティ確保の観点から、ＩＤ及び／又はＭＡＣ（Media Access Control）アドレス及び／又は暗号鍵を暗号化を施した上で不揮発性メモリー１２１に格納しても良い。
【００６２】
図２の２２５は、相手機器（ＤＳＣ３１１）側のＩＤ及び／又はＭＡＣ（Media Access Control）アドレスの取得及び設定・登録が完了したことを受けて制御部１１１が認証中インジケータを消灯させる処理ステップである。
【００６３】
同様に図２の２４５は、ＤＳＣ３１１側で、相手機器（無線通信システム３１０）側のＩＤ及び／又はＭＡＣ（Media Access Control）アドレス及び／又は暗号鍵の取得及び設定・登録が完了し、自ＩＤとアクノリッジを送信済みであることを受けて制御部１５１が認証中インジケータを消灯させる処理ステップである。
【００６４】
図２の２２６は、第２の無線通信手段（近接無線通信手段）１１２と１５２による無線通信によって、第１の無線通信手段（無線ＬＡＮ通信手段）１１３と１５３の間で無線通信を行うのに必要な情報の授受及び設定・登録が完了したことを受けて、制御部１１１が第１の無線通信手段（無線ＬＡＮ通信手段）１１３の無線通信機能をイネーブルにする処理ステップである。
【００６５】
同様に図２の２４６は、第２の無線通信手段（近接無線通信手段）１１２と１５２による無線通信によって、第１の無線通信手段（無線ＬＡＮ通信手段）１１３と１５３の間で無線通信を行うのに必要な情報の授受及び設定・登録が完了したことを受けて、制御部１５１が第１の無線通信手段（無線ＬＡＮ通信手段）１５３の無線通信機能をイネーブルにする処理ステップである。
【００６６】
図２の２２７と２４７は、第２の無線通信手段（近接無線通信手段）１１２と１５２による無線通信による、第１の無線通信手段（無線ＬＡＮ通信手段）１１３と１５３の間で無線通信を行うのに必要な情報の授受及び設定・登録処理の終了を示している。
【００６７】
以上詳述したように、本実施の形態に係る無線通信モジュール１１０、１５０、及び無線通信システム１３０、１７０、及びそれらの無線通信方法によれば、第１の無線通信手段１１３、１５３と、第１の通信手段（無線ＬＡＮ）１１３、１５３に比べ伝送距離が短い第２の無線通信手段１１２、１５２と、制御部１１１、１５１とを備えて、第１の通信手段１１３、１５３での通信を行う際に、第１の通信手段１１３、１５３で接続させる機器同士を、第２の無線通信手段１１２、１５２で通信が可能な距離まで接近させ、第１の無線通信手段１１３、１５３で通信を行うために必要なＭＡＣ（Media Access Control）アドレス及び／又はＩＤ、及び／又は暗号化情報の送受信を第２の無線通信手段１１２、１５２を介して行う様にした。これにより、無線通信機能を利用する際の、無線通信接続を行う相手機器の選択・決定や、無線通信を行うのに必要な設定、例えばアクセスポイントと無線ＬＡＮクライアントの両方に同じ識別情報（例えば文字列など）を登録することにより特定の機器のみ接続を許可する機能に利用するＥＳＳ−ＩＤ（Extended Service Set IDentifier）という識別子の設定、また、無線通信路のセキュリティを確保するためのＭＡＣ（Media Access Control）アドレスのフィルタリング設定や、同様に無線通信路のセキュリティを確保するための暗号化に係るＷＥＰ（Wired Equivalent Privacy）の設定を確実かつ簡単に実行することができる。
【産業上の利用可能性】
【００６８】
本発明に係る無線通信システムは、簡単な手続きにより、情報を漏洩させることなく特定の機器間のみで安全に無線ＬＡＮ通信を行うことのできる方法を提案したものであり、ＤＳＣやデジタルムービー等のＡＶ機器、あるいは携帯電話などの通信機器において有益である。
【図面の簡単な説明】
【００６９】
【図１】本発明の実施の形態に係る無線通信システム１３０の構成を示すブロック図
【図２】本発明の実施の形態に係る無線通信システム１３０の第２の無線通信手段が、第１の無線通信手段による通信を行うために必要な設定情報を無線通信で授受する時のシーケンス図
【図３】第１の無線通信手段と第２の無線通信手段のそれぞれの伝送距離（通信範囲）と、無線通信接続機器の関係を示す図
【符号の説明】
【００７０】
１２０、１６０  無線機能搭載メモリーカード
１２１、１６１  不揮発性メモリー
１２２、１６２  表示手段（インジケータ）
１３０、１７０  無線通信システム
１３１、１７１  電源供給指令出力手段
１３２、１７２  通信開始指令出力手段
２２０  認証シーケンスの開始
２２１  第２の無線通信手段（近接無線通信手段）の電源をＯＮにする処理
２２２  認証中インジケータを点灯させる処理
２２３  無線通信接続相手機器（システム）の選択を指示する処理
２２４  無線通信路の暗号化に係る情報の設定処理
２２５  認証中インジケータを消灯させる処理
２２６  第１の無線通信手段（無線ＬＡＮ通信手段）を有効にする処理
２２７  認証シーケンスの終了
２４０  認証シーケンスの開始
２４１  第２の無線通信手段（近接無線通信手段）の電源をＯＮにする処理
２４２  認証中インジケータを点灯させる処理
２４３  ＭＡＣアドレス及び／又はＩＤを登録する処理
２４４  無線通信路の暗号化に係る情報を送信する処理
２４５  認証中インジケータを消灯させる処理
２４６  第１の無線通信手段（無線ＬＡＮ通信手段）を有効にする処理
２４７  認証シーケンスの終了
３００  第２の無線通信手段（近接無線通信手段）の通信可能範囲
３０１  第１の無線通信手段（無線ＬＡＮ通信手段）の通信可能範囲
３１０  無線通信システム（無線機能搭載メモリーカードと無線ＬＡＮアダプタ）
３１１  デジタルスチルカメラ
３２０  ＰＤＡ（Personal Digital Assistants）
３２１  携帯電話
３２２  ノートＰＣ
３２３  ノートＰＣ
３２４  ＰＤＡ（Personal Digital Assistants）
３２５  ノートＰＣ
３２６  無線ＬＡＮ電波中継機（アクセスポイント）
３２７  携帯電話
３３０  ノートＰＣ
３３１  デジタルスチルカメラ
３３２  デスクトップＰＣ
３３３  スマートフォン
３３４  携帯電話
３３５  スマートフォン
３３６  デジタルムービー
３３７  スマートフォン
【図１】
2008098893.tif 000003
【図２】
2008098893.tif 000004
【図３】
2008098893.tif 000005